(57)【要約】      （修正有）【課題】配布データの配布形式に応じて、当該配布データを配布するために最適な情報媒体を選択する。【解決手段】情報入力部１６Ａで、情報媒体により配布される配布データ１５Ａが持つ情報量ｉ、当該配布データ１５Ａを配布する配布期間ｔ、および当該情報媒体の配布数ｘを含む配布形式情報１５Ｂを入力し、メディア選択部１６Ｂで、この配布形式情報１５Ｂに基づいて、配布データ１５Ａを紙媒体３２で配布する際に必要となる紙媒体消費エネルギーＥｐと、配布データを電子媒体３１で配布する際に必要となる電子媒体消費エネルギーＥｗとの大小を判定し、いずれか小さい方の情報媒体を、配布データ１５Ａを配布するための情報媒体として選択する。【選択図】図１
2013061826.tif 000002
【特許請求の範囲】
【請求項１】
情報媒体により配布される配布データが持つ情報量、当該配布データを配布する配布期間、および当該情報媒体の配布数を含む配布形式情報を入力するための情報入力部と、
前記配布形式情報に基づいて、前記配布データを紙媒体で配布する際に必要となる紙媒体消費エネルギーと、前記配布データを電子媒体で配布する際に必要となる電子媒体消費エネルギーとの大小を判定し、いずれか小さい方の情報媒体を、前記配布データを配布するための情報媒体として選択するメディア選択部と
を備えることを特徴とするデータ配布制御装置。
【請求項２】
請求項１に記載のデータ配布制御装置において、
前記メディア選択部は、前記情報量をｉとし、前記配布期間をｔとし、前記配布数をｘとし、単位情報量のデータを前記紙媒体により配布する際に消費する基準紙媒体消費エネルギーをｅpとし、単位情報量のデータを前記電子媒体により配布する際に消費する基準電子媒体消費エネルギーをｅwとし、前記電子媒体を配布するＷＥＢサーバで単位時間当たりに消費する基準ＷＥＢサーバ消費エネルギーをｄとした場合、ｉ×ｘ／ｔ＜ｄ／（ｅp−ｅw）が成立した際には、前記配布データを配布するための情報媒体として前記紙媒体を選択し、ｉ×ｘ／ｔ＞ｄ／（ｅp−ｅw）が成立した際には、前記配布データを配布するための情報媒体として前記電子媒体を選択することを特徴とするデータ配布制御装置。
【請求項３】
情報媒体を用いたデータ配布を制御するデータ配布制御装置で用いられるメディア選択方法であって、
情報入力部が、情報媒体により配布される配布データが持つ情報量、当該配布データを配布する配布期間、および当該情報媒体の配布数を含む配布形式情報を入力するための配布形式情報入力ステップと、
メディア選択部が、前記配布形式情報に基づいて、前記配布データを紙媒体で配布する際に必要となる紙媒体消費エネルギーと、前記配布データを電子媒体で配布する際に必要となる電子媒体消費エネルギーとの大小を判定し、いずれか小さい方の情報媒体を、前記配布データを配布するための情報媒体として選択するメディア選択ステップと
を備えることを特徴とするメディア選択方法。
【請求項４】
請求項３に記載のメディア選択方法において、
前記メディア選択ステップは、前記情報量をｉとし、前記配布期間をｔとし、前記配布数をｘとし、単位情報量のデータを前記紙媒体により配布する際に消費する基準紙媒体消費エネルギーをｅpとし、単位情報量のデータを前記電子媒体により配布する際に消費する基準電子媒体消費エネルギーをｅwとし、前記電子媒体を配布するＷＥＢサーバで単位時間当たりに消費する基準ＷＥＢサーバ消費エネルギーをｄとした場合、ｉ×ｘ／ｔ＜ｄ／（ｅp−ｅw）が成立した際には、前記配布データを配布するための情報媒体として前記紙媒体を選択し、ｉ×ｘ／ｔ＞ｄ／（ｅp−ｅw）が成立した際には、前記配布データを配布するための情報媒体として前記電子媒体を選択するステップを含むことを特徴とするメディア選択方法。
【請求項５】
コンピュータを、請求項１または請求項２に記載のデータ配布制御装置を構成する各部として機能させるためのプログラム。
【発明の詳細な説明】
【技術分野】
【０００１】
本発明は、データ配布制御技術に関し、特に情報媒体により配布される配布データの配布形式に応じて、当該配布データを配布するために最適な情報媒体を選択するためのメディア選択技術に関する。
【背景技術】
【０００２】
近年、インターネット技術の普及により、ＷＥＢサーバを設置し各種の配布データをインターネット経由で電子的に配布する方法が行われている。この方法によれば、配布データをインターネット経由で電子的に配布することができるため、紙媒体による情報配布よりも必要とする消費エネルギーが少ないと言われている。よって、配布データを配布するには電子媒体により消費エネルギーが少なくできる、すなわちコストを少なくすることが可能であると考えられている（例えば、特許文献１など参照）。
【先行技術文献】
【特許文献】
【０００３】
【特許文献１】特開２００４−２１４７３７１号公報
【発明の概要】
【発明が解決しようとする課題】
【０００４】
しかしながら、このような従来技術では、配布する配布データの配布形式に応じて、当該配布データを配布するために最適な情報媒体（メディア）を選択できていないという問題があった。
すなわち、消費エネルギーの観点から必ずしも常に電子媒体による配布が紙媒体による配布よりも少ないとは言えない。電子媒体による配布にはＷＥＢサーバなど電子機器の運用が必要であり、その運用には少なからずエネルギーを要し、さらに、配布データの配布期間が長くなればそれだけ電子機器の運用による消費エネルギーは大きくなる。
【０００５】
電子媒体の利点は、情報量の大きなデータも高速に配布できることにあるが、もし、配布データの情報量がそれほど大きく場合にも電子媒体を利用することは、電子機器の運用により消費エネルギーが増大するという不利を生じる。したがって、最小の消費エネルギーでデータを配布するためには、配布データの情報量、配布期間、配布数に応じて電子媒体と紙媒体を切り替える必要がある。
【０００６】
本発明はこのような課題を解決するためのものであり、配布データの配布形式に応じて、当該配布データを配布するために最適な情報媒体を選択できるメディア選択技術を提供することを目的としている。
【課題を解決するための手段】
【０００７】
このような目的を達成するために、本発明にかかるデータ配布制御装置は、情報媒体により配布される配布データが持つ情報量、当該配布データを配布する配布期間、および当該情報媒体の配布数を含む配布形式情報を入力するための情報入力部と、配布形式情報に基づいて、配布データを紙媒体で配布する際に必要となる紙媒体消費エネルギーと、配布データを電子媒体で配布する際に必要となる電子媒体消費エネルギーとの大小を判定し、いずれか小さい方の情報媒体を、配布データを配布するための情報媒体として選択するメディア選択部とを備えている。
【０００８】
この際、メディア選択部で、情報量をｉとし、配布期間をｔとし、配布数をｘとし、単位情報量のデータを紙媒体により配布する際に消費する基準紙媒体消費エネルギーをｅpとし、単位情報量のデータを電子媒体により配布する際に消費する基準電子媒体消費エネルギーをｅwとし、電子媒体を配布するＷＥＢサーバで単位時間当たりに消費する基準ＷＥＢサーバ消費エネルギーをｄとした場合、ｉ×ｘ／ｔ＜ｄ／（ｅp−ｅw）が成立した際には、配布データを配布するための情報媒体として紙媒体を選択し、ｉ×ｘ／ｔ＞ｄ／（ｅp−ｅw）が成立した際には、配布データを配布するための情報媒体として電子媒体を選択するようにしてもよい。
【０００９】
また、本発明にかかるメディア選択方法は、情報媒体を用いたデータ配布を制御するデータ配布制御装置で用いられるメディア選択方法であって、情報入力部が、情報媒体により配布される配布データが持つ情報量、当該配布データを配布する配布期間、および当該情報媒体の配布数を含む配布形式情報を入力するための配布形式情報入力ステップと、メディア選択部が、配布形式情報に基づいて、配布データを紙媒体で配布する際に必要となる紙媒体消費エネルギーと、配布データを電子媒体で配布する際に必要となる電子媒体消費エネルギーとの大小を判定し、いずれか小さい方の情報媒体を、配布データを配布するための情報媒体として選択するメディア選択ステップとを備えている。
【００１０】
この際、メディア選択ステップに、情報量をｉとし、配布期間をｔとし、配布数をｘとし、単位情報量のデータを紙媒体により配布する際に消費する基準紙媒体消費エネルギーをｅpとし、単位情報量のデータを電子媒体により配布する際に消費する基準電子媒体消費エネルギーをｅwとし、電子媒体を配布するＷＥＢサーバで単位時間当たりに消費する基準ＷＥＢサーバ消費エネルギーをｄとした場合、ｉ×ｘ／ｔ＜ｄ／（ｅp−ｅw）が成立した際には、配布データを配布するための情報媒体として紙媒体を選択し、ｉ×ｘ／ｔ＞ｄ／（ｅp−ｅw）が成立した際には、配布データを配布するための情報媒体として電子媒体を選択するステップを含むようにしてもよい。
【００１１】
また、本発明にかかるプログラムは、コンピュータを、前述したデータ配布制御装置を構成する各部として機能させるためのプログラムである。
【発明の効果】
【００１２】
本発明によれば、配布データを配布する際、その配布形式に応じて、紙媒体３２および電子媒体３１のうちから、配布に要する消費エネルギーが小さい最適な情報媒体を選択することができる。したがって、配布データの情報量、配布期間、配布数が異なるいずれの配布形式についても、低い配布コストで配布データを配布することができる。
【図面の簡単な説明】
【００１３】
【図１】データ配布制御装置の構成を示すブロック図である。
【図２】配布形式情報を示す説明図である。
【図３】基準設定情報を示す説明図である。
【図４】データ配布制御処理を示すフローチャートである。
【発明を実施するための形態】
【００１４】
次に、本発明の一実施の形態について図面を参照して説明する。
［データ配布制御装置］
まず、図１を参照して、本実施の形態にかかるデータ配布制御装置１０について説明する。図１は、データ配布制御装置の構成を示すブロック図である。
このデータ配布制御装置１０は、全体として、パーソナルコンピュータやサーバ装置、さらにはスマートフォンなどの情報処理装置からなり、任意の配布データを配布する際に、入力された配布形式情報に基づいて、配布データを配布するのに最適な情報媒体を選択する機能を有している。
【００１５】
本実施の形態は、情報媒体により配布される配布データが持つ情報量、当該配布データを配布する配布期間、および当該情報媒体の配布数を含む配布形式情報を入力し、この配布形式情報に基づいて、配布データを紙媒体で配布する際に必要となる紙媒体消費エネルギーと、配布データを電子媒体で配布する際に必要となる電子媒体消費エネルギーとの大小を判定し、いずれか小さい方の情報媒体を、配布データを配布するための情報媒体として選択するようにしたものである。
【００１６】
次に、図１を参照して、本実施の形態にかかるデータ配布制御装置１０の構成について詳細に説明する。
このデータ配布制御装置１０には、主な機能部として、通信Ｉ／Ｆ部１１、プリンタＩ／Ｆ部１２、操作入力部１３、画面表示部１４、記憶部１５、および制御部１６が設けられている。
【００１７】
通信Ｉ／Ｆ部１１は、インターネットなどのネットワーク５０を介して、電子媒体３１によりデータを配布するＷＥＢサーバ２１などの情報処理装置との間でデータ通信を行う機能を有している。
プリンタＩ／Ｆ部１２は、紙媒体３２を印刷出力するためのプリンタ２２との間でデータ通信を行う機能とを有している。
【００１８】
操作入力部１３は、キーボード、マウス、タッチパネルなどの操作入力装置からなり、ユーザの操作を検出して制御部１６へ出力する機能を有している。
画面表示部１４は、ＬＣＤなどの画面表示装置からなり、制御部１６からの指示に応じて、操作メニュー、配布形式情報入力画面、媒体選択結果などの各種情報を画面表示する機能を有している。
【００１９】
記憶部１５は、ハードディスクや半導体メモリなどの記憶装置からなり、制御部１６での各種処理に用いる処理データやプログラム１５Ｐを記憶する機能を有している。
プログラム１５Ｐは、制御部１６に読み出されて実行されることにより、メディア選択処理などの各種処理を実行する処理部を実現する機能を有しており、外部装置（図示せず）や記録媒体（図示せず）から予め読み込まれて記憶部１５へ保存される。なお、本発明にかかるデータ配布制御装置１０は、コンピュータとプログラム１５Ｐによって実現でき、プログラム１５Ｐを記録媒体に記録することも、ネットワークを通して提供することも可能である。
【００２０】
記憶部１５で記憶される主な処理情報としては、配布データ１５Ａ、配布形式情報１５Ｂ、基準設定情報１５Ｃがある。
配布データ１５Ａは、電子媒体３１または紙媒体３２で配布する電子データであり、各種のコンテンツを含むファイル形式で、外部装置（図示せず）や記録媒体（図示せず）から予め読み込まれて記憶部１５へ保存される。
【００２１】
図２は、配布形式情報を示す説明図である。配布形式情報１５Ｂは、配布データを配布する際の配布形式に関する情報であり、メディア選択処理に先立って外部から入力されて記憶部１５に保存される。通常、配布データを媒体に記録して配布する際、この配布形式として、どの程度の情報量を持つ配布データを、どれだけの期間にわたり、どれだけの媒体数で配布するか、予め決定される。この配布形式情報１５Ｂには、このように配布形式に関する情報として、図２に示すように、配布データのデータサイズを示す情報量ｉ［ＭＢ］、配布データの配布開始から配布終了までの期間を示す配布期間ｔ［日］、および配布期間ｔ内に配布データが含まれている情報媒体を配布する数を示す配布数ｘ［個］が含まれている。
【００２２】
図３は、基準設定情報を示す説明図である。基準設定情報１５Ｃは、配布データを配布するために消費するエネルギーの算出に用いる、基準となる消費エネルギーを示す情報であり、メディア選択処理に先立って外部から入力されて記憶部１５に保存される。この基準設定情報１５Ｃには、図３に示すように、基準紙媒体消費エネルギーｅp［ワット日／ＭＢ］、基準電子媒体消費エネルギーｅw［ワット日／ＭＢ］、および基準ＷＥＢサーバ消費エネルギーｄ［ワット］が含まれている。
【００２３】
このうち、基準紙媒体消費エネルギーｅpは、単位情報量（＝１［ＭＢ］）を紙媒体３２により配布する際に消費するエネルギーを示している。また、基準電子媒体消費エネルギーｅwは、単位情報量（＝１［ＭＢ］）を電子媒体３１により配布する際に消費するエネルギーを示している。また、基準ＷＥＢサーバ消費エネルギーｄは、電子媒体３１を配布するＷＥＢサーバ２１で単位時間当たりに消費するエネルギーを示している。
【００２４】
制御部１６は、ＣＰＵなどのマイクロプロセッサとその周辺回路を有し、記憶部１５からプログラム１５Ｐを読み出して実行することにより、メディア選択処理などの各種処理を実行するための処理部（モジュール）を実現する機能を有している。
制御部１６で実現される主な処理部として、情報入力部１６Ａ、メディア選択部１６Ｂ、およびデータ出力部１６Ｃがある。
【００２５】
情報入力部１６Ａは、情報媒体により配布データを配布する際、通信Ｉ／Ｆ部１１や操作入力部１３を介して、配布データ１５Ａや配布形式情報１５Ｂを入力し、記憶部１５へ保存する機能と、配布形式情報１５Ｂとして、前述した情報量ｉ［ＭＢ］、配布期間ｔ［日］、および配布数ｘを入力する機能とを有している。
【００２６】
メディア選択部１６Ｂは、配布形式情報１５Ｂと基準設定情報１５Ｃとに基づいて、配布データを紙媒体３２で配布する際に必要となる紙媒体消費エネルギーと、配布データを電子媒体３１で配布する際に必要となる電子媒体消費エネルギーとの大小を判定する機能と、紙媒体３２または電子媒体３１のいずれか小さい方の情報媒体を、配布データを配布するための情報媒体として選択する機能と、この選択結果を画面表示部１４で画面表示する機能とを有している。
【００２７】
データ出力部１６Ｃは、メディア選択部１６Ｂにより、配布データを配布する情報媒体として電子媒体３１が選択された場合には、通信Ｉ／Ｆ部１１からＷＥＢサーバ２１へ、記憶部１５の配布データ１５Ａと、配布形式情報１５Ｂに応じた配布指示とを送信する機能と、メディア選択部１６Ｂにより、配布データを配布する情報媒体として紙媒体３２が選択された場合には、プリンタＩ／Ｆ部１２からプリンタ２２へ、記憶部１５の配布データ１５Ａと、配布形式情報１５Ｂに応じた配布指示とを出力する機能とを有している。
【００２８】
［本実施の形態の動作］
次に、図４を参照して、本実施の形態にかかるデータ配布制御装置１０の動作について説明する。図４は、データ配布制御処理を示すフローチャートである。
データ配布制御装置１０の制御部１６は、操作入力部１３でユーザによるデータ配信要求に応じて、図４のデータ配布制御処理を開始する。なお、データ配布制御処理の開始に先だって、記憶部１５には、基準設定情報１５Ｃが設定されているものとする。
【００２９】
まず、情報入力部１６Ａは、通信Ｉ／Ｆ部１１や操作入力部１３を介して入力された、配布データ１５Ａと配布形式情報１５Ｂとを受け取って、記憶部１５へ保存する（ステップ１００）。
次に、メディア選択部１６Ｂは、記憶部１５から配布形式情報１５Ｂと基準設定情報１５Ｃとを読み出して、配布データ１５Ａを紙媒体３２で配布する場合と、電子媒体３１で配布する場合とについて、後述する消費エネルギーに関するパラメータをそれぞれ計算する（ステップ１０１）。
【００３０】
続いて、メディア選択部１６Ｂは、これらパラメータを比較することにより、配布データ１５Ａを紙媒体３２で配布する際に必要となる紙媒体消費エネルギーと、配布データ１５Ａを電子媒体３１で配布する際に必要となる電子媒体消費エネルギーとの大小を判定し、いずれか小さい方の情報媒体（メディア）を、配布データを配布するための情報媒体として選択し（ステップ１０２）、選択した情報媒体を画面表示部１４で画面表示する（ステップ１０３）。
【００３１】
この後、データ出力部１６Ｃは、メディア選択部１６Ｂにより、配布データ１５Ａを配布するための情報媒体として電子媒体３１が選択されたか確認する（ステップ１０４）。ここで、電子媒体３１が選択された場合には（ステップ１０４：ＹＥＳ）、通信Ｉ／Ｆ部１１からＷＥＢサーバ２１へ、記憶部１５の配布データ１５Ａと、配布形式情報１５Ｂに応じた配布指示とを送信し（ステップ１０５）、一連のデータ配布制御処理を終了する。
【００３２】
一方、紙媒体３２が選択された場合には（ステップ１０４：ＮＯ）、プリンタＩ／Ｆ部１２からプリンタ２２へ、記憶部１５の配布データ１５Ａと、配布形式情報１５Ｂに応じた配布指示とを出力（ステップ１０６）、一連のデータ配布制御処理を終了する。
【００３３】
［メディア選択方法］
次に、本実施の形態にかかるデータ配布制御装置１０で用いるメディア選択方法について詳細に説明する。
本実施の形態では、配布データ１５Ａを配布するため情報媒体を選択する場合、配布データ１５Ａの配布形式に基づいて、電子媒体３１と紙媒体３２とについて、配布に要する消費エネルギーを比較し、いずれか小さい方を選択する。比較に際し、消費エネルギーそのものを計算して比較してもよいが、本実施の形態では、パラメータを計算して比較する場合について説明する。
【００３４】
ここでは、配布形式情報１５Ｂについて説明したように、配布データのデータサイズを情報量ｉ［ＭＢ］とし、配布データの配布開始から配布終了までの期間を配布期間ｔ［日］とし、配布期間ｔ内に配布データが含まれている情報媒体を配布する数を配布数ｘ［個］とする。
また、基準設定情報１５Ｃについて説明したように、単位情報量（＝１［ＭＢ］）を紙媒体３２により配布する際に消費するエネルギーを基準紙媒体消費エネルギーｅpとし、単位情報量（＝１［ＭＢ］）を電子媒体３１により配布する際に消費するエネルギーを基準電子媒体消費エネルギーｅwとし、電子媒体３１を配布するＷＥＢサーバ２１で単位時間当たりに消費するエネルギーを基準ＷＥＢサーバ消費エネルギーｄとする。
【００３５】
通常、基準紙媒体消費エネルギーｅpは、基準電子媒体消費エネルギーｅwよりも大きく、ｅp＞ｅwである。
ここで、情報量ｉを配布するのにプリンタ２２により紙媒体３２を印刷した場合、単位配布量当たりの消費エネルギーは、ｅp×ｉである。したがって、配布量ｘで配布期間ｔの配布形式における消費エネルギーＥｐは、Ｅｐ＝ｅp×ｉ×ｘと表すことができる。すなわち、紙媒体３２を利用した場合、配布に要する消費エネルギーは、配布期間ｔによって変化せず、情報媒体の配布量ｘにのみ比例する。
【００３６】
一方、ＷＥＢサーバ２１から配信される電子媒体３１を利用した場合、単位配布量当たりの消費エネルギーは、ｅw×ｉである。したがって、配布量ｘで配布期間ｔの配布形式における消費エネルギーは、ｅw×ｉ×ｘと表すことができる。ここで、ＷＥＢサーバ２１の単位時間当たりに消費するエネルギーは、基準ＷＥＢサーバ消費エネルギーｄであるので、配布期間ｔに消費されるエネルギーは、ｄ×ｔとなる。このため、電子媒体３１を利用した場合、配布量ｘで配布期間ｔの配布形式における消費エネルギーＥｗは、Ｅｗ＝ｅw×ｉ×ｘ＋ｄ×ｔとなる。すなわち、電子媒体３１を利用した場合、配布に要する消費エネルギーは、ＷＥＢサーバ２１の動作時間すなわち配布期間ｔに比例し、同時に情報媒体の配布量に比例する。
【００３７】
したがって、プリンタ２２による紙媒体３２を利用する場合の方が、消費エネルギーが小さい条件は、ｅp×ｉ×ｘ＜ｅw×ｉ×ｘ＋ｄ×ｔ、すなわちｉ×ｘ／ｔ＜ｄ／（ｅp−ｅw）となる。
反対に、ＷＥＢサーバ２１による電子媒体３１を利用する場合の方が、消費エネルギーが小さい条件は、ｉ×ｘ／ｔ＞ｄ／（ｅp−ｅw）となる。
【００３８】
本実施の形態では、これら条件で用いるｉ×ｘ／ｔやｄ／（ｅp−ｅw）をパラメータとして計算し、上記条件の成立可否を確認している。この際、ｄ／（ｅp−ｅw）については、基準設定情報１５Ｃのみで計算できる。このため、これらを基準パラメータとして予め算出して記憶部１５に保存しておけば、いずれの配布形式についても共用できる。
したがって、配布形式情報１５Ｂのみで計算できるｉ×ｘ／ｔを比較パラメータとして、配布形式ごとに計算して、基準パラメータと比較するようにしてもよく、計算処理負担を大幅に軽減できる。
【００３９】
［メディア選択例］
次に、メディア選択例として、入力された配布形式の内容により、配布データの配布に用いる情報媒体が変化する場合について説明する。
まず、基準設定情報１５Ｃにおいて、ｅp＝１［ワット日／ＭＢ］、ｅw＝０．００１［ワット日／ＭＢ］、ｄ＝１００［ワット］と設定されているものとする。
【００４０】
この際、ｅpは、紙媒体３２における単位情報量当たりの消費エネルギーであるが、紙媒体３２のプリントアウトによるプリンタ２２の消費エネルギーｅp1、紙自体のコストをエネルギー換算したものｅp2のほか、紙媒体３２を運送する場合は運送に要するエネルギーｅp3も含まれる。このため、ｅp＝ｅp1＋ｅp2＋ｅp3と表すことができる。
一方、ｅwは、電子媒体における単位情報量当たりの消費エネルギーであるが、これはインターネット等を経由してデータ伝送する際のエネルギーｅw1や、会議でパソコンなどで閲覧する場合に消費するエネルギーｅw2とを含む。このため、ｅw＝ｅw1＋ｅw2となる。
【００４１】
ここで、第１の配布例として、情報量ｉが１［ＭＢ］、配布期間ｔが１０［日］、配布数ｘが１０［個］とした場合、ｉ×ｘ／ｔ＝１、ｄ／（ｅp−ｅw）＝１００．１であることから、ｉ×ｘ／ｔ＜ｄ／（ｅp−ｅw）となる。このため、紙媒体３２を用いた方が消費エネルギーが少なくて済む。したがって、第１の配布例の場合、配布データ１５Ａは、プリンタＩ／Ｆ部１２からプリンタ２２へ出力され、プリンタ２２で紙媒体３２としてプリントアウトされて配布されることになる。
【００４２】
一方、第２の配布例として、情報量ｉが１［ＭＢ］、配布期間ｔが１［日］、配布数ｘが２００［個］とした場合、ｉ×ｘ／ｔ＝２００となり、ｄ／（ｅp−ｅw）＝１００．１のままであることから、ｉ×ｘ／ｔ＞ｄ／（ｅp−ｅw）となる。このため、電子媒体３１を用いた方が消費エネルギーが少なくて済む。したがって、第２の配布例の場合、配布データ１５Ａは、通信Ｉ／Ｆ部１１からＷＥＢサーバ２１へ出力され、ＷＥＢサーバ２１で電子媒体３１として電子的に配布されることになる。
【００４３】
［本実施の形態の効果］
このように、本実施の形態は、情報入力部１６Ａで、情報媒体により配布される配布データ１５Ａが持つ情報量ｉ、当該配布データ１５Ａを配布する配布期間ｔ、および当該情報媒体の配布数ｘを含む配布形式情報１５Ｂを入力し、メディア選択部１６Ｂで、この配布形式情報１５Ｂに基づいて、配布データ１５Ａを紙媒体３２で配布する際に必要となる紙媒体消費エネルギーＥｐと、配布データを電子媒体で配布する際に必要となる電子媒体消費エネルギーＥｗとの大小を判定し、いずれか小さい方の情報媒体を、配布データ１５Ａを配布するための情報媒体として選択するようにしたものである。
【００４４】
これにより、配布データを配布する際、その配布形式に応じて、紙媒体３２および電子媒体３１のうちから、配布に要する消費エネルギーが小さい最適な情報媒体を選択することができる。したがって、配布データの情報量、配布期間、配布数が異なるいずれの配布形式についても、低い配布コストで配布データを配布することができる。
【００４５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００４６】
１０…データ配布制御装置、１１…通信Ｉ／Ｆ部、１２…プリンタＩ／Ｆ部、１３…操作入力部、１４…画面表示部、１５…記憶部、１５Ａ…配布データ、１５Ｂ…配布形式情報、１５Ｃ…基準設定情報、１５Ｐ…プログラム、１６…制御部、１６Ａ…情報入力部、１６Ｂ…メディア選択部、１６Ｃ…データ出力部。
【図１】
2013061826.tif 000003
【図２】
2013061826.tif 000004
【図３】
2013061826.tif 000005
【図４】
2013061826.tif 000006